(57)【要約】【課題】  簡単な操作で、撮影された画像データに撮影場所情報を付加することができる撮影情報付加システム及びデジタルカメラを低コストで提供する。【解決手段】  撮影場所情報付加システム１０は、観光地に設置された看板に取付けられたＩＣカード１２と、デジタルカメラ１４とで構成される。ＩＣカード１２は、情報送信装置である無線タグが内蔵されており、デジタルカメラ１４のリーダ部が近づけられた時に、観光地の位置、名称等の固定情報を撮影場所情報として外部に無線で送信する。デジタルカメラ１４は、リーダ部によって無線タグから読取った撮影情報を記憶し、その後に撮影された画像データに撮影場所情報を付加して記録する。【選択図】        図１
2005217479.tif 000002
【特許請求の範囲】
【請求項１】
所定場所に設置され、その場所の固有の情報である撮影場所情報を外部に無線で送信する情報送信装置と、
前記情報送信装置に近接する位置に配置された時に、前記情報送信装置から前記撮影場所情報を無接触で読取って記憶し、その後に撮影された画像データに前記撮影場所情報を付加して記録するデジタルカメラとで構成されることを特徴とする撮影場所情報付加システム。
【請求項２】
前記情報送信装置は、前記所定場所の位置、名称等の固定情報を前記撮影場所情報として外部に無線で送信することを特徴とする請求項１記載の撮影場所情報付加システム。
【請求項３】
前記情報送信装置は、天候情報及び日時情報を外部から受信する外部通信手段と、温度を検出する温度検出手段と、湿度を検出する湿度検出手段とを備え、前記所定場所の位置、名称等の固定情報と、前記外部通信手段により受信された前記天候情報と、前記温度検出手段により検出された前記温度情報と、前記湿度検出手段により検出された湿度情報とで構成される前記撮影場所情報、及び前記外部通信手段により受信された前記日時情報を外部に無線で送信することを特徴とする請求項１記載の撮影場所情報付加システム。
【請求項４】
前記デジタルカメラは、日時情報をカウントする時計部を備え、前記情報送信装置から前記日時情報を読取った時に、前記日時情報に基づいて、前記時計部の日時情報を更新することを特徴とする請求項３記載の撮影場所情報付加システム。
【請求項５】
前記撮影場所情報付加システムに用いられ、被写体を撮影して得られた画像データを記録媒体に記録させるデジタルカメラにおいて、
前記情報送信装置に近接する場所に配置された時に、前記情報送信装置から無接触で前記撮影場所情報を読取る読取手段と、前記読取手段により読取られた前記場所情報を記憶する情報記憶手段と、前記記録媒体に対するデータの読み書きを行う読み書き手段と、前記情報記憶手段から前記撮影場所情報を取得し、前記読み書き手段を制御して、前記画像データに前記撮影場所情報を付加して記録させる制御手段とを備えたことを特徴とするデジタルカメラ。                                                                      
【請求項６】
前記記録媒体に記録された画像データを再生表示する表示手段を備え、前記記録媒体に記録された画像データのみを前記表示手段に再生表示する通常再生モードと、前記記録媒体に記録された画像データ、及びこの画像データに付加された前記撮影場所情報を同時に再生表示する情報表示再生モードとを有することを特徴とする請求項５記載のデジタルカメラ。
【発明の詳細な説明】
【技術分野】
【０００１】
本発明は、撮影場所の情報を外部装置から受信し、撮影された画像データに撮影場所の情報を付加して記録する撮影場所情報付加システム及びデジタルカメラに関する。
【背景技術】
【０００２】
撮影レンズによって結像された被写体像を光電変換して画像データを取得するＣＣＤイメージセンサ等の撮像手段を備え、撮像手段により取得された撮影画像をデジタルデータとしてメモリカード等の記録媒体に記録するデジタルカメラが知られている。また、最近の記録媒体は記憶容量が大きくなり、多数の画像データを記録することができる。
【０００３】
しかし、複数の場所で写真撮影を行い、１つの記憶媒体に多数の画像データを記録すると、撮影画像の整理を行う際に、撮影場所やその場所の情報等を知りたい場合がある。しかし、カメラ本体に撮影場所情報を入力する機能を搭載しても、撮影前に撮影場所情報を入力する操作は撮影者にとって煩わしく、面倒であるという問題があった。このような問題を解決する方法として、ＧＰＳ装置をカメラに搭載し、ＧＰＳ装置により取得された位置情報に基づいて、撮影時のタイトルを設定するカメラが考えられている（例えば、特許文献１参照）。
【０００４】
【特許文献１】特開平１１−２９５８０４号公報
【発明の開示】
【発明が解決しようとする課題】
【０００５】
しかしながら、上記特許文献１に記載のカメラでは、ＧＰＳ装置を搭載することによりカメラ本体の製造コストが高くなるという問題があった。また、コストが高い割にＧＰＳ装置によって、得られる情報は位置や時刻に関する情報程度であり、情報量が少ないという問題があった。
【０００６】
本発明は上記事情に鑑みてなされたものであり、撮影者に煩わしい操作を強いることなく、多数の撮影場所情報を画像データに付加して記録させることが可能な撮影場所情報システム及びデジタルカメラを低コストで提供することを目的とする。
【課題を解決するための手段】
【０００７】
上記課題を解決するために、本発明の撮影場所情報付加システムは、所定場所に設置され、その場所の固有の情報である撮影場所情報を外部に無線で送信する情報送信装置と、前記情報送信装置に近接する位置に配置された時に、前記情報送信装置から前記撮影場所情報を無接触で読取って記憶し、その後に撮影された画像データに前記撮影場所情報を付加して記録するデジタルカメラとで構成されることを特徴とするものである。
【０００８】
前記情報送信装置は、前記所定場所の位置、名称等の固定情報を前記撮影場所情報として外部に無線で送信することを特徴とするものである。
【０００９】
前記情報送信装置は、天候情報及び日時情報を外部から受信する外部通信手段と、温度を検出する温度検出手段と、湿度を検出する湿度検出手段とを備え、前記所定場所の位置、名称等の固定情報と、前記外部通信手段により受信された前記天候情報と、前記温度検出手段により検出された前記温度情報と、前記湿度検出手段により検出された湿度情報とで構成される前記撮影場所情報、及び前記外部通信手段により受信された前記日時情報を外部に無線で送信することを特徴とするものである。
【００１０】
前記デジタルカメラは、日時情報をカウントする時計部を備え、前記情報送信装置から前記日時情報を読取った時に、前記日時情報に基づいて、前記時計部の日時情報を更新することが好ましい。
【００１１】
上記課題を解決するために、本発明のデジタルカメラは、前記撮影場所情報付加システムに用いられ、被写体を撮影して得られた画像データを記録媒体に記録させるデジタルカメラであって、前記情報送信装置に近接する場所に配置された時に、前記情報送信装置から無接触で前記撮影場所情報を読取る読取手段と、前記読取手段により読取られた前記場所情報を記憶する情報記憶手段と、前記記録媒体に対するデータの読み書きを行う読み書き手段と、前記情報記憶手段から前記撮影場所情報を取得し、前記読み書き手段を制御して、前記画像データに前記撮影場所情報を付加して記録させる制御手段とを備えたことを特徴とするものである。
【００１２】
前記記録媒体に記録された画像データを再生表示する表示手段を備え、前記記録媒体に記録された画像データのみを前記表示手段に再生表示する通常再生モードと、前記記録媒体に記録された画像データ、及びこの画像データに付加された前記撮影場所情報を同時に再生表示する情報表示再生モードとを有することが好ましい。
【発明の効果】
【００１３】
本発明の撮影場所情報付加システム及びデジタルカメラによれば、撮影した画像データに、撮影場所の情報を簡単な操作で付加することができる。このため、撮影後に画像を確認する場合、画像データに前述の情報が付加されているので、画像の確認及び整理を容易に行うことができる。また、デジタルカメラにＧＰＳ装置等の高価な装置を必要としないので製造コストを低減可能である。
【００１４】
撮影場所の位置、名称等の固定情報とともに、気象情報という変動する情報を撮影場所情報として、画像データに付加することができるので、撮影後に画像を確認する際に、撮影時の状況を確認し易い。
【発明を実施するための最良の形態】
【００１５】
図１は、本発明の撮影場所情報付加システム１０を示す説明図である。看板１１は、観光地に設置され、名称や説明文が記載された説明看板である。この看板１１には、紐１３によって、観光地の固有の情報である撮影場所情報を外部に送信する情報送信装置を内蔵するＩＣカード１２が取付けられている。撮影システム１０は、撮影場所情報を外部に送信する情報送信装置と、この情報送信装置から撮影場所情報を読取って、その後に撮影された画像データに撮影場所情報を付加して記録するデジタルカメラ１４とで構成される。
【００１６】
図２に示すように、ＩＣカード１２には、情報送信装置として無線タグ２０が内蔵されている。無線タグ２０は、観光地の固有の情報である撮影場所情報が記憶されたＲＯＭ２１と、無線により外部に情報を出力する送信部２２と、ＲＯＭ２１に記憶された撮影場所情報を取得し、送信部２２を制御して、撮影場所情報を外部に送信させる制御部２３とを備えている。また、ＲＯＭ２１に記憶された撮影場所情報は、観光地の位置、名称、説明等の固定情報である。
【００１７】
送信部２２は、電磁コイル２４を備えており、ＲＯＭ２１内に記憶された撮影場所情報を無線により外部に出力する際に使用される。また、デジタルカメラ１４内には、無線タグ２０から送信される情報を読取る読取手段であるリーダ部２５が設けられている。このリーダ部２５は無線タグリーダであり、無線タグ２０に起電力を発生させるための電波を出力する電磁コイル２６と、電磁コイル２４から無線で出力された情報を受信する受信コイル２７とを備えている。デジタルカメラ１４が、ＩＣカード１２に近づけられた時に、電磁コイル２６から電波が出力され、電磁誘導により電磁コイル２４に起電力が発生する。無線タグ２０は、この起電力により動作し、送信部２２から撮影場所情報が無線で出力する。リーダ部２５は、無線タグ２０から出力された撮影場所情報を無線で受信する。
【００１８】
このように、無線タグ２０は、リーダ部２５から出力された電波によって起電力を得るので電源が不要であり、半永久的に使えるという利点がある。また、電源が不要であるため、電源供給が難しい場所でも設置可能である。さらに、観光地に電源を引く必要がないので、自然環境に悪影響を及ぼすことはない。
【００１９】
また、ＩＣカード１２から送信される撮影場所情報は、観光地の位置、名称、説明等の固定情報であるが、気象や時刻という変動する情報を送信できるようにしても良い。この場合のＩＣカードの構成について、図３を用いて説明を行う。ＩＣカード３０は、無線タグ３１と、外部との通信により天候情報及び日時情報を受信する外部通信手段である外部通信装置３２と、温度検出手段である温度センサ３３と、湿度検出手段である湿度センサ３４とを備えている。なお、外部通信装置３２は、電波時計等に利用され、正確な時間情報をのせた長波標準電波を受信することにより、正確な日時情報を取得する。無線タグ３１は、無線タグ２０と同様の構成であり、ＲＯＭ３５と、送信部３６と、制御部３７とを備えており、ＲＯＭ３５には、前述のＲＯＭ２１と同様に、観光地の位置、名称、説明等の固定情報が記憶されている。
【００２０】
外部通信装置３２、温度センサ３３、湿度センサ３４は、制御部３７に接続されており、外部通信装置３２により取得された天候情報及び日時情報、温度センサ３３により取得された温度情報、湿度センサ３４により取得された湿度情報が、制御部３７に出力される。制御部３７は、送信部３６を制御して、ＲＯＭ３５に記憶された固定情報に、天候情報、日時情報、温度情報、及び湿度情報という変動する情報を付加した情報を出力させる。なお、無線タグ３１は、無線タグ２０と同様に、デジタルカメラ１４が近づけられた時に動作する。
【００２１】
また、無線タグ３１、外部通信装置３２、温度センサ３３、湿度センサ３４は、ＩＣカード３０の外部から電源供給される。この場合、ＩＣカード３０を看板１１に取付けるための紐１３に、電源コードを収納させれば良い。このように、ＩＣカード３０は、ＩＣカード１２と異なり、電源を供給する必要があるが、ＩＣカード１２よりも多くの情報をリーダ部２５に出力することができる。
【００２２】
なお、看板１１の外部にＩＣカード１２，３０を紐１３で取付けるように説明を行ったが、これに限るものではなく、図４に示すように、看板３９の内部にＩＣカード１２を埋め込んで設置しても良い。また、同様にＩＣカード３０を看板３９の内部に埋め込んで設置しても良い。この場合、ＩＣカード１２，３０が盗難されることを防止できる。
【００２３】
次にデジタルカメラ１４の説明を行う。図５及び図６は、デジタルカメラ１４の外観斜視図であり、図５はカメラ本体４１の前面側の構成、図６はカメラ本体４１の背面側の構成を示している。カメラ本体１１の前面には、図中矢印方向にスライド操作自在なレンズバリア４２が設けられている。このレンズバリア４２を図５に示す開放位置にスライドさせることにより、撮影レンズ４３、ストロボ発光部４４が前面に露呈されて、さらに電源がＯＮとなって撮影可能な状態となる。さらに、カメラ本体１１の前面には、光学ファインダを構成するファインダ対物窓４５が設けられている。
【００２４】
カメラ本体１１の背面には、ＬＣＤパネル４６、光学ファインダを構成するファインダ接眼窓４７が設けられている。ＬＣＤパネル４６には、画像や各種設定画面が表示される。また、ＬＣＤパネル４６は、被写体画像をリアルタイムで表示することにより、電子ビューファインダとしても使用される。さらに、カメラ本体１１の背面には、デジタルカメラ１４の各種機能を設定するために設けられた操作部５０が設けられている。この操作部５０は、モード切替スイッチ５１、マクロ撮影のＯＮ／ＯＦＦの切替えを行うためのマクロボタン５２、ストロボのモード設定を行うためのストロボボタン５３、光学撮影倍率を変更するためのズームボタン５４、ＬＣＤパネル４６にメニュー画面を表示するためのメニューボタン５５、操作を途中でやめる際に操作されるキャンセルボタン５６、ＬＣＤパネル４６のＯＮ／ＯＦＦを切替えるための表示ボタン５７、撮影画像の画素数やＩＳＯ感度を変更するためのフォトモードボタン（Ｆ）ボタン５８、及びＩＮＦＯボタン５９を備えている。
【００２５】
モード切替スイッチ５１は、撮影を行う際に選択される撮影モード位置、記録画像を再生する際に選択される再生モード位置、撮影場所情報を受信する際に選択されるで情報受信モード位置との間でスライド操作されて各モードが選択される。
【００２６】
ＩＮＦＯボタン５９は、撮影された画像データを再生する際に、撮影画像のみをＬＣＤパネルに大画面表示する通常再生モードと、撮影画像、及び撮影画像の画像データに付加された撮影場所情報を同時に表示する情報表示再生モードとの間でモード切替えする際に操作される。このＩＮＦＯボタン５９を押圧操作すると、情報表示再生モードとなり、再度押圧操作すると、通常再生モードに戻る。
【００２７】
さらに、前述のマクロボタン５２、ストロボボタン５３、ズームボタン５４は、ＬＣＤパネル４６に表示されるメニュー画面内でカーソルを移動させるカーソル操作ボタンとしても使用される。また、マクロボタン５２、及びストロボボタン５３は、再生モード時の再生画像の順送り、逆送りの操作にも使用される。
【００２８】
カメラ本体４１の上面には、シャッタボタン６０が設けられている。このシャッタボタン６０は、２段階押しのボタンとなっている。撮影者が、シャッタボタン６０を軽く押圧（半押し）すると、露光調節、撮影レンズ４３の焦点調節などの各種撮影準備処理が施され、シャッタボタン６０をもう１度強く押圧（全押し）すると撮影が実行される。
【００２９】
また、カメラ本体４１の側面には、メモリカードスロット６１、外部出力端子６２が設けられている。メモリカードスロット６２には、記録媒体であるメモリカード６３が着脱自在に装填される。このメモリカード６３には、撮影画像の画像データが記録される。外部出力端子６２はＵＳＢ端子であり、メモリカード６３に記録された画像データを外部装置、例えばパーソナルコンピュータ等に出力する際に使用される。また、カメラ本体４１の下部には、前述のリーダ部２５が設けられている。
【００３０】
次に、デジタルカメラの電気的構成を図７のブロック図を用いて説明を行う。制御手段であるＣＰＵ７０は、操作部５０、シャッタボタン６０から入力される操作信号に基づいてデジタルカメラ１０の各部を制御する。ＲＯＭ７１は、ＣＰＵ７０が実行する制御プログラムや、各種制御用データ等が記憶されている。情報記憶手段であるフラッシュメモリ７２は、データの書き換えが可能な不揮発性メモリであり、撮影者によって設定された各種設定情報や、前述のＩＣカード１２，３０から読取った撮影場所情報が記憶される。
【００３１】
撮影レンズ４３は、モータを含むレンズ駆動機構７５によって駆動される。レンズ駆動機構７５は、撮影レンズ４３を光軸方向に進退移動させる。モータドライバ７６は、ＣＰＵ７０からの指令に基づいてレンズ駆動機構７５を制御して、光学撮影倍率の変更と焦点調節を行う。撮影レンズ４３の背後には、撮像手段であるＣＣＤイメージセンサ７７が配置されている。
【００３２】
ＣＣＤイメージセンサ７７は、ＣＣＤドライバ７８を介してＣＰＵ７０に接続されている。ＣＰＵ７０は、ＣＣＤドライバ７８を制御することにより、ＣＣＤイメージセンサ７７を駆動させて光電変換により被写体像を電気信号に変換して撮像信号を相関二重サンプリング回路（ＣＤＳ）７９に出力する。
【００３３】
ＣＤＳ７９は、アナログ信号である撮像信号のノイズを除去し、さらにＡＭＰ８０にて撮像信号が増幅される。その後、撮像信号は、Ａ／Ｄ変換器８１にてアナログ信号からデジタル信号に変換されて、画像入力コントローラ８２に画像データとして出力される。
【００３４】
画像入力コントローラ８２は、データバス８３を介してＣＰＵ７０に接続されている。ＣＰＵ７０は、画像入力コントローラ８２を制御して、画像データをビデオメモリ８４、あるいはバッファメモリ８５に記憶される。
【００３５】
ビデオメモリ８４は、ＬＣＤパネル４６を電子ビューファインダとして使用する際に、解像度の低い画像データが一時的に記憶される。ビデオメモリ８４に記憶された画像データは、データバス８３を介してＬＣＤドライバ８６に送信される。ＬＣＤドライバ８６は、ＬＣＤパネル４６に画像を表示できるように、画像データに対して信号処理を施して、画像をＬＣＤパネル４６に表示させる。
【００３６】
また、バッファメモリ８５は、撮像された高解像度の画像データが一時的に記憶される。また、ＣＰＵ７０には、データバス８３を介して画像信号処理部８７が接続されている。画像信号処理部８７は、撮像された高解像度の画像データがバッファメモリ８５に記憶されている間に、各種画像処理、例えば、階調変換、色変換、ハイパートーン処理、及びハイパーシャープネス処理等を施す。
【００３７】
また、ＣＰＵ７０には、データバス８３を介して圧縮伸張処理部８８、読み書き制御手段であるメディアコントローラ８９が接続されている。ＣＰＵ７０は、圧縮伸張処理部８８を制御して、バッファメモリ８５に記録された画像データに対して、ＪＰＥＧ方式等の圧縮形式により圧縮処理を施す。その後、ＣＰＵ７０は、メディアコントローラ８９を制御して、圧縮処理された画像データを記録媒体であるメモリカード６３に記録させる。また、ＣＰＵ７０は、フラッシュメモリ７２に撮影場所情報が記憶されている場合、メディアコントローラ８９を制御して、圧縮処理された画像データに撮影場所情報、撮影日時の情報を付加してメモリカード６３に記録させる。また、フラッシュメモリ７２に撮影場所情報が付加されていない場合は、撮影日時の情報のみが画像データに付加されてメモリカード６３に記録される。
【００３８】
このメモリカード６３に記録された画像データを再生する場合は、ＣＰＵ７０がメディアコントローラ８９を制御して、メモリカード６３から画像データを読み出し、さらに、圧縮伸張回路を制御して、圧縮された画像データの伸張処理を行う。ＣＰＵ７０は、ＬＣＤドライバ８６を制御して、この画像データをＬＣＤパネル４６に表示することにより記録画像の再生を行う。この際、ＩＮＦＯボタンにより、通常再生モードが選択されている場合は、ＬＣＤパネル４６に大画面で画像を表示させる。また、情報表示再生モードが選択されている場合は、画像を縮小してフラッシュメモリ７２に記憶された撮影場所情報とともに表示する。
【００３９】
さらに、ＣＰＵ７０には、データバス８３を介してＡＦ検出部９０、ＡＥ／ＡＷＢ検出部９１に接続されている。ＣＰＵ７０は、ＡＦ検出部９０及びＡＥ／ＡＷＢ検出部９１を制御して自動焦点調整、自動露出調整、ホワイトバランス補正が最適となるＡＦ検出値、ＡＥ／ＡＷＢ検出値を検出させる。ＣＰＵ７０は、ＡＦ検出値及びＡＥ／ＡＷＢ検出値に基づいて、モータドライバ７６、ＣＣＤイメージセンサ７７等を制御する。
【００４０】
また、ＣＰＵ７０には、前述のリーダ部２５及び時計部９２が接続されている。ＣＰＵ７０は、リーダ部２５によって撮影場所情報が読み込まれた時に、撮影場所情報をフラッシュメモリ７２に記憶させる。また、リーダ部２５によって日時情報が読み込まれた場合、ＣＰＵ７０は、日時情報をフラッシュメモリ７２に記憶させずに、リーダ部２５にて撮影場所情報が読み込まれた時に瞬時に日時情報を抽出して時計部９２の日時情報を更新する。これにより、時計部９２の時刻合わせを行うことができる。
【００４１】
次に、上記構成の撮影システムの作用について説明を行う。なお、ＩＣカード３０を用いる場合について説明を行う。最初に、撮影場所情報の読取処理について説明を行う。観光地において、撮影場所情報をデジタルカメラ１４に読み込ませる場合、モード切替スイッチ５１をスライド操作することにより、情報受信モードに切替える。その後、デジタルカメラ１４のリーダ部２５をＩＣカード３０に近づけることにより、無線タグ３１から撮影場所情報が読取られる。ＣＰＵ７０は、リーダ部２５によって取得された撮影場所情報をフラッシュメモリに記憶される。ただし、ＣＰＵ７０は、日時情報をフラッシュメモリ７２に記憶させずに、リーダ部２５にて撮影場所情報が読み込まれた時に、瞬時に日時情報を抽出して時計部９２の時刻合わせに使用する。なお、ＩＣカード３０から撮影場所情報を読取る場合について説明を行ったが、ＩＣカード１２から撮影場所情報を読取る場合も同様である。
【００４２】
また、画像データに付加する撮影場所情報については、デジタルカメラ１４側で設定することにより選択できる。撮影者はメニューボタン５５等を操作することにより、図８に示すような撮影場所情報選択画面９５を表示させ、日時情報、天候情報、温度情報、湿度情報、位置情報、場所情報の中から、画像データに付加させたい情報を選択することができる。撮影者は、付加したい情報のＹＥＳの表示にカーソル９６を移動させて、決定ボタンであるメニューボタン５５を押圧することにより選択する。このような撮影場所情報設定は、フラッシュメモリ７２内に記憶され、撮影場所情報を受信した時に、フラッシュメモリ７２内に必要な撮影場所情報のみを記憶させることができる。
【００４３】
次に、撮影処理について図９のフローチャートを用いて説明を行う。ＣＰＵ７０は、シャッタボタン６０が全押しされて撮影の指令を取得すると、ＣＣＤイメージセンサ７７等の各部を制御して、画像データを取得させる。その後、ＣＰＵ７０は、フラッシュメモリ７２内に撮影場所情報が記憶されているか否かを判定する。
【００４４】
フラッシュメモリ７２内に撮影場所情報が記憶されていないと判定された場合、ＣＰＵ７０は、ＪＰＥＧ方式等で圧縮された画像データに撮影場所情報を付加せずに、メディアコントローラ８９を制御して、画像データをメモリカード６３に記録させる。この時、時計部９２の日時情報に基づいて、撮影日時の情報のみが画像データに付加されてメモリカード６３に記録される。また、フラッシュメモリ７２内に撮影場所情報が記憶されていると判定された場合は、画像データの撮影場所情報を付加するか否かを撮影者に選択させる選択画面をＬＣＤパネル４６に表示させる。撮影者は、操作部５０を操作することによって、撮影場所情報を付加するか否かを選択する。撮影者によって撮影場所情報を付加しないことが選択された場合、ＣＰＵ７０は、メディアコントローラ８９を制御して、フラッシュメモリ７２内の撮影場所情報を消去し、画像データに撮影場所情報を付加せずにメモリカード６３に記録させる。この場合も、時計部９２の日時情報に基づいて、撮影日時の情報のみが画像データに付加されてメモリカード６３に記録される。
【００４５】
また、撮影者によって撮影場所情報を付加することが選択された場合、ＣＰＵ７０は、メディアコントローラ８９を制御して、フラッシュメモリ７２内の撮影場所情報をＪＰＥＧ方式等で圧縮された画像データに付加してメモリカード６３に記録させる。また、この時、時計部９２の日時情報に基づいて、撮影日時の情報も画像データに付加されてメモリカード６３に記録させる。
【００４６】
ＩＣカード１２から読取った撮影場所情報を画像データに付加する場合、図１０に示すように、撮影日時の情報と、観光地の位置、名称、説明等の固定情報である撮影場所情報とを画像データに付加した画像ファイルをメモリカード６３に記録させる。なお、撮影日時の情報を画像データに付加しなくても良い。ＩＣカード３０から読取った撮影場所情報を画像データに付加する場合、図１１に示すように、撮影日時とともに、前述の固定情報及び気象情報（天候情報、温度情報、湿度情報）である撮影場所情報が画像データに付加された画像ファイルをメモリカード６３に記録させる。この場合も、撮影日時の情報を画像データに付加しなくても良い。
【００４７】
その後、モード切替スイッチ５１によって、撮影モードからその他のモードに切替えされた場合や、電源がＯＦＦにされた場合、撮影処理を終了する。また、電源がＯＮにされた状態で、モード切替スイッチによって撮影モードのままの場合、最初の処理に戻り、再び撮影処理を繰り返し行う。
【００４８】
なお、撮影処理の説明において、撮影者が、撮影場所情報を画像データに付加するか否かを選択させるように説明を行ったが、これに限るものではなく、撮影場所情報が読取られた後、最初の撮影時のみ、撮影場所情報が画像データに付加されてメモリカード６３に記録されるようにしても良い。
【００４９】
このように、撮影者は、煩わしい操作を行わずに簡単な操作により、画像データに撮影場所情報として多数の情報を付加させて記録することができる。また、ＧＰＳ等の高価な部品を使用しないので、情報送信装置であるＩＣカードやデジタルカメラの製造コストが高くなることはない。
【００５０】
次に、再生処理について図１２のフローチャートを用いて説明を行う。デジタルカメラ１４は、モード切替スイッチ５１により再生モードが選択されると、記録メディアに記録された画像データをＬＣＤパネル４６に表示する再生モードとなる。モード切替スイッチ５１により再生モードに切替えられると、ＣＰＵ７０は、フラッシュメモリ７２内の設定情報を確認して、通常再生モードに設定されているか否かを判定する。通常再生モードに設定されていると判定された場合、図１３に示すように、ＬＣＤパネル４６に再生画像９７を大画面表示する。
【００５１】
また、通常再生モードに設定されていない、つまり情報表示再生モードに設定されていると判定された場合、再生画像９７を縮小表示する。その後、ＣＰＵ７０は、画像ファイルに撮影場所情報が付加されているか否かを判定する。撮影場所情報が付加されていると判定された場合、図１４に示すように、再生画像９７とともに、その画像データに付加された撮影場所情報を再生画像９７の右に表示する。また、撮影場所情報が付加されていないと判定された場合、再生画像９７のみを表示する。この時、撮影場所情報が付加されていなくても分かる情報、例えば、撮影日時の情報を図１５に示すように表示しても良い。
【００５２】
その後、電源がＯＦＦにされたり、モード切替スイッチ５１によって再生モードから別のモードに切替えられた場合、再生処理を終了する。また、電源がＯＮのままの状態で、再生モードのままの場合、最初の処理に戻って再生処理を繰り返し行う。
【００５３】
前述の再生処理の説明では、デジタルカメラ１４のＬＣＤパネル４６に画像を再生する場合について説明を行ったが、これに限るものではなく、メモリカード６３内の画像ファイルを外部装置、例えばパソコンに読み込ませて、ソフトウェアにより、画像データと撮影場所情報とをパソコンのディスプレイに表示させるようにしても良い。
【００５４】
このように、メモリカード６３に記録された画像データを再生表示する際に、撮影場所情報を表示できるので、画像の確認や整理を容易に行うことができる。また、観光地の位置、名称等の固定情報の他に、気象情報も撮影場所情報として記録されるので、撮影時の状況をより詳しく知ることができる。
【００５５】
なお、本実施形態において、情報送信装置が内蔵されたＩＣカードを観光地の説明看板に設けるように説明を行ったが、これに限るものではなく、観光地の目立つ場所や、撮影場所として頻繁に利用される場所であれば何処に設置しても良い。
【００５６】
また、本実施形態において、情報送信装置として無線タグを使用するように説明を行ったが、これに限るものではなく、デジタルカメラが近づけられた時に、撮影場所情報を送信できるものであれば良い。
【図面の簡単な説明】
【００５７】
【図１】撮影場所情報付加システムの構成を示す説明図である。
【図２】ＩＣカードの構成を示すブロック図である。
【図３】ＩＣカードの構成を示すブロック図である。
【図４】ＩＣカードの設置箇所を示す説明図である。
【図５】デジタルカメラの前面側の構成を示す外観斜視図である。
【図６】デジタルカメラの背面側の構成を示す外観斜視図である。
【図７】デジタルカメラの電気的構成を示すブロック図である。
【図８】撮影場所情報選択画面を示す説明図である。
【図９】撮影処理を説明するフローチャートである。
【図１０】画像ファイルの構成を示す説明図である。
【図１１】画像ファイルの構成を示す説明図である。
【図１２】再生処理を説明するフローチャートである。
【図１３】通常再生モードにおける再生画面を示す説明図である。
【図１４】情報表示再生モードにおける再生画面を示す説明図である。
【図１５】情報表示再生モードにおける再生画面を示す説明図である。
【符号の説明】
【００５８】
１０  撮影場所情報付加システム
１１  看板
１４  デジタルカメラ
１２，３０  ＩＣカード
２０，３１  無線タグ
２５  リーダ部
３２  外部通信装置
３３  温度センサ
３４  湿度センサ
４６  ＬＣＤパネル
６３  メモリカード
７０  ＣＰＵ
７２  フラッシュメモリ
８９  メディアコントローラ
９２  時計部
【図１】
2005217479.tif 000003
【図２】
2005217479.tif 000004
【図３】
2005217479.tif 000005
【図４】
2005217479.tif 000006
【図５】
2005217479.tif 000007
【図６】
2005217479.tif 000008
【図７】
2005217479.tif 000009
【図８】
2005217479.tif 000010
【図９】
2005217479.tif 000011
【図１０】
2005217479.tif 000012
【図１１】
2005217479.tif 000013
【図１２】
2005217479.tif 000014
【図１３】
2005217479.tif 000015
【図１４】
2005217479.tif 000016
【図１５】
2005217479.tif 000017